(57)【要約】【課題】風呂往き温度センサや風呂戻り温度センサの異常を検知することにより、浴槽への給湯を中断し、高温や低温での入浴を防ぐことができるようにした電気給湯機を提供すること。【解決手段】貯湯タンク１から浴槽１０への給湯配管５２と、間接過熱回路の戻り配管１５とを一部共用配管１７として設け、風呂注湯温度を検出する風呂往き温度センサ１８を給湯配管５２に配設するとともに、追い焚き時に浴槽１０の水の戻り温度を検出する風呂戻り温度センサ１９を共用配管１７に配設し、浴槽１０への給湯時に、風呂往き温度センサ１８と風呂戻り温度センサ１９の検出温度を比較し、これらの検出温度に所定の時間に亘って所定の温度差以上の温度差があった場合に、少なくとも一方の温度センサに異常があると判断するセンサ異常検知回路を設ける。【選択図】図１
2008014515.tif 000002
【特許請求の範囲】
【請求項１】
貯湯タンクの上部に熱交換器を配設し、風呂の追い焚き等を行う間接加熱回路を備えた電気給湯機において、浴槽への給湯配管と間接過熱回路の戻り配管とを一部共用配管として設け、風呂注湯温度を検出する風呂往き温度センサを給湯配管に配設するとともに、追い焚き時に浴槽の水の戻り温度を検出する風呂戻り温度センサを共用配管に配設し、浴槽への給湯時に、該風呂往き温度センサと風呂戻り温度センサの検出温度を比較し、これらの検出温度に所定の時間に亘って所定の温度差以上の温度差があった場合に、少なくとも一方の温度センサに異常があると判断するセンサ異常検知回路を設けたことを特徴とする電気給湯機。
【発明の詳細な説明】
【技術分野】
【０００１】
本発明は、風呂の追い焚き等のための間接加熱回路を備えた電気給湯機に関し、特に、湯張りを行う際に湯が通る配管に取り付けた２つの温度センサを利用して、この２つのセンサの検出温度に所定の時間に亘って所定の温度差以上の温度差がある状態を検知した時に、その温度センサに異常があると判断することができる電気給湯機に関するものである。
【背景技術】
【０００２】
従来、深夜電力を用いた電気給湯機により給湯するシステムでは、浴槽に給湯する場合、所定の温度に設定した温水を、浴槽の給湯口や蛇口から供給するようにしている。
そのときに供給する温水は、貯湯タンク内の湯と水道水を混合弁を用いて混合し、所定の温度になるように制御をしている。
この場合、浴槽に給湯する湯が通る給湯配管に風呂往き温度センサを取り付けて、この風呂往き温度センサにより混合弁のフィードバック制御を行っている。
【０００３】
一方、追い焚きでは、浴槽内の温水の温度を上昇させるために、熱交換器を備えた間接過熱回路にて貯湯タンク内の高温の湯と熱交換を行うようにしている。
この場合、ポンプによって浴槽内の湯が間接過熱回路を循環するようにしており、その経路上の戻り配管に風呂戻り温度センサを取り付け、この風呂戻り温度センサの検出温度に基づいて、間接過熱回路の温水を設定されている温度まで上昇させている。
【０００４】
しかしながら、これらの風呂往き温度センサや風呂戻り温度センサが異常を起こした場合、いずれも、設定されている正しい温度の温水を浴槽に供給することができなくなるという問題があった。
【発明の開示】
【発明が解決しようとする課題】
【０００５】
本発明は、上記従来の電気給湯機が有する問題点に鑑み、風呂往き温度センサや風呂戻り温度センサの異常を検知することにより、浴槽への給湯を中断し、高温や低温での入浴を防ぐことができるようにした電気給湯機を提供することを目的とする。
【課題を解決するための手段】
【０００６】
上記目的を達成するため、本発明の電気給湯機は、貯湯タンクの上部に熱交換器を配設し、風呂の追い焚き等を行う間接加熱回路を備えた電気給湯機において、浴槽への給湯配管と間接過熱回路の戻り配管とを一部共用配管として設け、風呂注湯温度を検出する風呂往き温度センサを給湯配管に配設するとともに、追い焚き時に浴槽の水の戻り温度を検出する風呂戻り温度センサを共用配管に配設し、浴槽への給湯時に、該風呂往き温度センサと風呂戻り温度センサの検出温度を比較し、これらの検出温度に所定の時間に亘って所定の温度差以上の温度差があった場合に、少なくとも一方の温度センサに異常があると判断するセンサ異常検知回路を設けたことを特徴とする。
【発明の効果】
【０００７】
本発明の電気給湯機によれば、貯湯タンクの上部に熱交換器を配設し、風呂の追い焚き等を行う間接加熱回路を備えた電気給湯機において、浴槽への給湯配管と間接過熱回路の戻り配管とを一部共用配管として設け、風呂注湯温度を検出する風呂往き温度センサを給湯配管に配設するとともに、追い焚き時に浴槽の水の戻り温度を検出する風呂戻り温度センサを共用配管に配設し、浴槽への給湯時に、該風呂往き温度センサと風呂戻り温度セン
サの検出温度を比較し、これらの検出温度に所定の時間に亘って所定の温度差以上の温度差があった場合に、少なくとも一方の温度センサに異常があると判断するセンサ異常検知回路を設けることから、浴槽への給湯時に、前記２つの温度センサの検出温度に所定の時間に亘って所定の温度差以上の温度差があるかどうかを検出することにより、これらの温度センサの状態を判断することができ、異常があると判断した場合には、浴槽への給湯を中断することによって異常温度での給湯を防ぐことができる。
【発明を実施するための最良の形態】
【０００８】
以下、本発明の電気給湯機の実施の形態を、図面に基づいて説明する。
【実施例１】
【０００９】
図１に、本発明の電気給湯機の一実施例を示す。
この電気給湯機は、所要の容量を有する円筒状の貯湯タンク１と、貯湯タンク１の上部と下部に設置され、貯湯タンク１内の水を設定温度まで加温するための上部ヒータ２及び下部ヒータ３と、上部ヒータ２の上方に配設され、貯湯タンク１の外部から供給される水を貯湯タンク１内に貯留された温水により加温する間接過熱回路の螺旋状の熱交換器４とを備えている。
【００１０】
そして、この電気給湯機は、貯湯タンク１から浴槽１０への給湯配管５２と、間接過熱回路の戻り配管１５とを、その一部を共用配管１７として設け、風呂注湯温度を検出する風呂往き温度センサ１８を給湯配管５２に配設するとともに、追い焚き時に浴槽１０の水の戻り温度を検出する風呂戻り温度センサ１９を共用配管１７に配設している。
さらに、浴槽１０への給湯時に、風呂往き温度センサ１８と風呂戻り温度センサ１９の検出温度を比較し、これらの検出温度に所定の時間に亘って所定の温度差以上の温度差があった場合に、少なくとも一方の温度センサに異常があると判断するセンサ異常検知回路（図示省略）を制御手段２３に設けている。
ここで、上記「所定の時間」とは、特に限定されるものではないが、２０秒〜２分程度、好ましくは、１分程度に設定するようにする。この設定時間が短すぎると、エラー（温度センサに異常がないのに異常があると判断するエラー）が多くなり、逆に長すぎると、温度センサに異常が発生した時に、当該異常検知が遅れることになる。
また、上記「所定の温度差」とは、特に限定されるものではないが、５０〜７０℃程度、好ましくは、６０℃程度に設定するようにする。この設定温度差が、例えば、１０℃程度と、小さすぎると、エラー（温度センサに異常がないのに異常があると判断するエラー）が多くなり、逆に大きすぎると、温度センサに異常が発生した時に、当該異常検知が遅れることになる。
【００１１】
貯湯タンク１は、その底部位置に分岐給水管５１を設けるとともに、上部位置に出湯するための出湯管６を設け、分岐給水管５１から給水することにより貯湯タンク１内の湯を押し上げるようにして、出湯管６から出湯するようにしている。
なお、分岐給水管５１は、減圧逆止弁１１を介して水道管Ｓが接続されている給水管５に、合流部Ｔ２にて分岐するように接続され、さらに必要に応じて逆止弁を分岐給水管５１に接続する。
貯湯タンク１は、複数箇所に取り付けたタンク温度センサ２１によって、温度の低下を正確に検知し、必要に応じて上部ヒータ２や下部ヒータ３により追加的な加熱を適切に実施する。
【００１２】
一方、熱交換器４は、特に限定されるものではないが、例えば、螺旋状に形成するとともに、この螺旋状に形成した熱交換器４の中心軸が、貯湯タンク１の中心軸と略一致するように配設するようにしている。
これにより、熱交換器４内の湯を、周囲の貯湯タンク１内の湯との熱交換により加熱す
ることができるとともに、熱交換によって冷却された貯湯タンク１内の上部の温水が下降流となり、この下降流に対応して熱交換器４の中心部に上昇流が生じ、この貯湯タンク１内に貯留された温水の対流により、貯湯タンク１内の温水の循環が生じ、熱交換器４による熱交換を効率よく確実に行うことができる。
【００１３】
また、熱交換器４は、図１に示すように、温水側配管７と冷水側配管８を介して、浴槽１０接続されている。
この熱交換器４は、戻り配管１５から冷水側配管８を介して供給された浴槽１０内の水を、貯湯タンク１に貯留した温水との間で熱交換を行うことによって加熱し、この加熱された温水を温水側配管７を介して追い焚き用往き管９から浴槽１０に供給するようにしている。
【００１４】
貯湯タンク１内への給水は、水道管Ｓより減圧逆止弁１１を介して水道水側に配管した給水管５を接続し、この減圧逆止弁１１の下流で給水管５を分岐し、分岐給水管５１を貯湯タンク１の底部に接続して行われる。
また、給水管５の先端は延長され、逆止弁２５、混合弁２０及び制御手段２３を介して給湯配管５２に接続し、給湯配管５２は、その先端を合流部Ｔ１を介して共用配管１７に接続するようにしている。
なお、制御手段２３は、混合弁２０の先に、流量センサ２４、ソレノイドバルブ２７及び逆止弁２８を順次配設して構成される。
【００１５】
また、貯湯タンク１の頂部には加熱された湯を取出せるよう出湯管６を接続し、この出湯管６の先端に逃し弁２６を、また合流部Ｔ３を介して分岐温水側配管６１に接続する。
これにより、貯湯タンク１にて加熱された湯を、合流部Ｔ３で分岐し、制御手段２３を有する給湯配管５２から共用配管１７を経て浴槽１０へ給湯するようにしている。
なお、この浴槽１０はアダプタ２２を備え、このアダプタ２２には、共用配管１７と追い焚き用往き管９とが接続され、浴槽内への給湯及び給水を可能としている。
【００１６】
次に浴槽への給湯操作を説明する。
まず、浴槽１０へ給湯を開始するに当たって、循環ポンプ１３を駆動し、これにより、熱交換器４に浴槽１０内の湯を循環させる経路の適宜位置に配設したフローセンサ１４により、浴槽１０に貯留されている水の有無をチェックする。
このようにして、浴槽１０に貯留されている水の有無をチェックした後、制御手段２３のソレノイドバルブ２７を開放し、電気給湯機の貯湯タンク１内に貯留された温水を、混合弁２０を調整することにより水道水と混合して浴槽１０に供給する。
このとき、風呂往き温度センサ１８の温度を検知しながら湯張り設定温度になるよう混合弁２０にて調整する。
なお、浴槽１０への給湯中に循環ポンプ１３を駆動させることにより、前記混合された湯を合流部Ｔ１で分岐し、熱交換器４から追い焚き用往き管９を通る経路を設け、前記共用配管１７とこの追い焚き用往き管９とを通る２経路にて給湯を行い、給湯速度を速めることもできる。
【００１７】
この場合、本実施例では、この浴槽への給湯時に、センサ異常検知回路により、風呂往き温度センサ１８と風呂戻り温度センサ１９の検出温度を比較し、これらの検出温度に所定の時間に亘って所定の温度差以上の温度差があった場合に、少なくとも一方の温度センサに異常があると判断することができ、異常があると判断した場合には、浴槽への給湯を中断することによって異常温度での給湯を防ぐことができる。
【００１８】
以上、本発明の電気給湯機について、その実施例に基づいて説明したが、本発明は上記実施例に記載した構成に限定されるものではなく、その趣旨を逸脱しない範囲において適
宜その構成を変更することができるものである。
【産業上の利用可能性】
【００１９】
本発明の電気給湯機は、浴槽への給湯時に、風呂往き温度センサと風呂戻り温度センサの検出温度を比較し、これらの検出温度に所定の時間に亘って所定の温度差以上の温度差があった場合に、少なくとも一方の温度センサに異常があると判断するという特性を有していることから、異常温度での給湯を防止するようにした電気給湯機の用途に好適に用いることができる。
【図面の簡単な説明】
【００２０】
【図１】本発明の電気給湯機の一実施例を示す回路図である。
【符号の説明】
【００２１】
１    貯湯タンク
２    上部ヒータ
３    下部ヒータ
４    熱交換器
５    給水管
５１  分岐給水管
５２  給湯配管
６    出湯管
６１  分岐温水側配管
７    温水側配管
８    冷水側配管
９    追い焚き用往き管
１０  浴槽
１１  減圧逆止弁
１２  水位センサ
１３  循環ポンプ
１４  フローセンサ
１５  戻り配管
１６  切替弁
１７  共用配管
１８  風呂往き温度センサ
１９  風呂戻り温度センサ
２０  混合弁
２１  タンク温度センサ
２２  アダプタ
２３  制御手段
２４  流量センサ
２５  逆止弁
２６  逃し弁
２７  ソレノイドバルブ
２８  逆止弁
【図１】
2008014515.tif 000003